(57)【要約】【課題】ギアの回転に伴う騒音の発生を防止し、少ない構成部品で構成される光ピックアップモジュールと、この光ピックアップモジュールを搭載した光ディスク装置を提供する。【解決手段】キャリッジ７は案内シャフト１１に移動自在に保持されている。フィードモータ１２の回転がスクリューシャフト１４に伝達されて、スクリューシャフト１４が回転する。ラック１５がスクリューシャフト１４に沿って移動することによって、キャリッジ７が光ディスクの内周側と外周側との間を移動する。スクリューシャフト１４にフィードモータ１２を直結してスクリューシャフト１４を回転させており、ギアを用いていない。従って、フィードモータ１２の回転トルクが変換されずに、スクリューシャフト１４が回転する。【選択図】図１
2006114112.tif 000002
【特許請求の範囲】
【請求項１】
光ディスクを回転駆動させるスピンドルモータと、光ディスクに対してレーザ光を照射して情報の記録再生を行う光ピックアップを搭載したキャリッジとを少なくとも備え、前記キャリッジに設けられたラックがスクリューシャフトの回転に伴って前記スクリューシャフトに沿って移動して前記キャリッジが光ディスクの半径方向に移動する光ピックアップモジュールにおいて、前記スクリューシャフトの一端にフィードモータが直接接続されていることを特徴とする光ピックアップモジュール。
【請求項２】
前記スクリューシャフトが取付けられるメインブラケットの取付け穴は、上下方向の径が長い長穴であることを特徴とする請求項１記載の光ピックアップモジュール。
【請求項３】
前記メインブラケットをビス止めするための取付けビス穴は、スクリューシャフトの長手方向に対して直交する方向の径が長い長穴であり、前記メインブラケットを固定具でベースに固定するためにベース上に設けられた保持穴は、スクリューシャフトの長手方向に対して直交する方向の径が長い長穴であることを特徴とする請求項１または２記載の光ピックアップモジュール。
【請求項４】
前記スクリューシャフトと前記フィードモータとの結合部位近傍にエンコーダが設けられていることを特徴とする請求項１から３のいずれかに記載の光ピックアップモジュール。
【請求項５】
前記スクリューシャフトの溝のうち、前記エンコーダを構成する保持部材の開口部と対向する溝に穴が設けられたことを特徴とする請求項１から４のいずれかに記載の光ピックアップモジュール。
【請求項６】
請求項１から請求項５のいずれかに記載の光ピックアップモジュールを搭載したことを特徴とする光ディスク装置。
【発明の詳細な説明】
【技術分野】
【０００１】
本発明は光ディスクの情報を記録再生する光ピックアップモジュールと、この光ピックアップモジュールを搭載した光ディスク装置に関する。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
従来の光ディスク装置の斜視図を図７に示す。
【０００４】
図７において、１は光ディスク装置であり、光ディスク装置１は、筐体２と、筐体２に出没自在に保持されたトレイ３とを有している。筐体２は、金属製の天部２ａと底部２ｂを組み合わせた袋状であり、筐体２の開口からトレイ３が出没する構成となっている。トレイ３には裏面から光ピックアップモジュール４が取付けられている。トレイ３の両側部には移動自在にレール３ａが設けられ、このレール３ａはトレイ３に一体に設けられたレール保持部３ｂに保持されている。
【０００５】
天部２ａと底部２ｂとは図示していない係止手段と螺旋などを用いて、互いに強固に固定されている。
【０００６】
光ピックアップモジュール４には光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【０００７】
キャリッジ７には、高出力のレーザーダイオード等の光源，各種光学部材及び光ディスク上に光スポットを構成する対物レンズなどが搭載されている。
【０００８】
図８に、光ピックアップモジュール４の斜視図を示す。光ピックアップモジュール４は光ディスクを回転駆動させるスピンドルモータ５と、スピンドルモータ５から外周にかけて開口６ａを設けた金属製のカバー６と、開口６ａから一部が露出したキャリッジ７とを少なくとも有している。
【０００９】
図９に、光ピックアップモジュール４の内部の構成を示す。キャリッジ７は案内シャフト１１に移動自在に保持されている。フィードモータ１２が回転し、ギア１３によって回転トルクが変換されて、スクリューシャフト１４が回転する。１５はラックであり、ラック１５がスクリューシャフト１４に沿って移動することによって、キャリッジ７が光ディスクの内周側と外周側との間を移動する。
【００１０】
ギア１３を用いると、ギア１３によって回転トルクが変換されるため、スクリューシャフト１４の回転速度を所望の速度に減速することができる。
【００１１】
記録媒体を読み取る装置における、スクリューとこれを駆動するモータに関する技術の一例が、（特許文献１）に記載されている。
【特許文献１】特開昭６２−８０８６２号公報
【発明の開示】
【発明が解決しようとする課題】
【００１２】
しかし、ギア１３を用いることによって、ギア１３の回転に伴う騒音が発生し、構成部品が多くなって構造が複雑となってしまう。
【００１３】
本発明は、上記の課題を解決するためになされたもので、ギアの回転に伴う騒音の発生を防止し、少ない構成部品で構成することが可能な光ピックアップモジュールと、この光ピックアップモジュールを搭載した光ディスク装置を提供することを目的とする。
【課題を解決するための手段】
【００１４】
本発明は、上記の課題を解決するためになされたもので、光ディスクを回転駆動させるスピンドルモータと、光ディスクに対してレーザ光を照射して情報の記録再生を行う光ピックアップを搭載したキャリッジとを少なくとも備え、前記キャリッジに設けられたラックがスクリューシャフトの回転に伴って前記スクリューシャフトに沿って移動して前記キャリッジが光ディスクの半径方向に移動する光ピックアップモジュールにおいて、前記スクリューシャフトの一端にフィードモータが直接接続されていることを特徴とする光ピックアップモジュールである。
【発明の効果】
【００１５】
本発明によると、ギアを用いずにスクリューシャフトの一端にフィードモータが直接接続されていることにより、ギアの回転に伴う騒音の発生を防止し、構成部品を少なくすることができる。また、ギアを用いないため、フィードモータをスピンドルモータに近い位置に配置することができ、光ディスクを装着したときに光ディスクの面振れがあっても光ディスクがフィードモータに接触することがなくなる。そのため、フィードモータの厚みを大きくすることができ、これによって回転トルクを大きくすることができるため、ギアによって回転トルクを変換することを必要としない。
【発明を実施するための最良の形態】
【００１６】
本願の第１の発明は、光ディスクを回転駆動させるスピンドルモータと、光ディスクに対してレーザ光を照射して情報の記録再生を行う光ピックアップを搭載したキャリッジとを少なくとも備え、前記キャリッジに設けられたラックがスクリューシャフトの回転に伴って前記スクリューシャフトに沿って移動して前記キャリッジが光ディスクの半径方向に移動する光ピックアップモジュールにおいて、前記スクリューシャフトの一端にフィードモータが直接接続されていることを特徴とする光ピックアップモジュールである。
【００１７】
ギアを用いずにスクリューシャフトの一端にフィードモータが直接接続されていることにより、ギアの回転に伴う騒音の発生を防止し、構成部品を少なくすることができる。また、ギアを用いないため、フィードモータをスピンドルモータに近い位置に配置することができ、光ディスクを装着したときに光ディスクの面振れがあっても光ディスクがフィードモータに接触することがなくなる。そのため、フィードモータの厚みを大きくすることができ、これによって回転トルクを大きくすることができるため、ギアによって回転トルクを変換することを必要としない。
【００１８】
本願の第２の発明は、第１の発明において、前記スクリューシャフトが取付けられるメインブラケットの取付け穴は、上下方向の径が長い長穴であることを特徴とする。
【００１９】
取付け穴をこの形状とすることにより、スクリューシャフトを取付けた際の、スクリューシャフトの先端位置の上下方向のばらつきを吸収することができる。
【００２０】
本願の第３の発明は、第１または第２の発明において、前記メインブラケットをビス止めするための取付けビス穴は、スクリューシャフトの長手方向に対して直交する方向の径が長い長穴であり、前記メインブラケットを固定具でベースに固定するためにベース上に設けられた保持穴は、スクリューシャフトの長手方向に対して直交する方向の径が長い長穴であることを特徴とする。
【００２１】
取付けビス穴、保持穴をこの形状とすることにより、スクリューシャフトを取付けた際の、スクリューシャフトの先端位置に横方向のばらつきがあっても、ベース上でのメインブラケットの位置を調整して固定具を保持穴に挿通し、取付けビス穴に取付けビスをビス締めすることによって、スクリューシャフトを取付けた際の、スクリューシャフトの先端位置の横方向のばらつきを吸収することができる。
【００２２】
本願の第４の発明は、第１から第３のいずれかの発明において、前記スクリューシャフトと前記フィードモータとの結合部位近傍にエンコーダが設けられていることを特徴とする。
【００２３】
エンコーダを配置したことによって、スクリューシャフトの回転状態を検知することができ、キャリッジが光ディスクの最内周側に達したことを検知することができる。
【００２４】
本願の第５の発明は、第１から第４の発明において、前記スクリューシャフトの溝のうち、前記エンコーダを構成する保持部材の開口部と対向する溝に穴が設けられたことを特徴とする。
【００２５】
これにより、反射光量の変化をより確実に検知することができるため、スクリューシャフトの回転状態より正確に検知することが可能となる。
【００２６】
本願の第６の発明は、第１から第５のいずれかの発明の光ピックアップモジュールを搭載した光ディスク装置である。
【００２７】
これにより、ギアの回転に伴う騒音の発生を防止し、構成部品を少なくすることが可能な光ディスク装置を実現することができる。
【００２８】
以下、本発明の光ピックアップモジュールと光ディスク装置をその実施の形態に基づいて説明する。
【００２９】
本発明の実施の形態に係る光ディスク装置の全体斜視図は、図７に示すものと同様である。
【００３０】
すなわち、図７において、１は光ディスク装置であり、光ディスク装置１は、筐体２と、筐体２に出没自在に保持されたトレイ３とを有している。筐体２は、金属製の天部２ａと底部２ｂを組み合わせて袋状であり、筐体２の開口からトレイ３が出没する構成となっている。トレイ３には裏面から光ピックアップモジュール４が取付けられている。トレイ３の両側部には移動自在にレール３ａが設けられ、このレール３ａはトレイ３に一体に設けられたレール保持部３ｂに保持されている。
【００３１】
天部２ａと底部２ｂとは図示していない係止手段と螺旋などを用いて、互いに強固に固定されている。
【００３２】
光ピックアップモジュール４には光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【００３３】
キャリッジ７には、高出力のレーザーダイオード等の光源，各種光学部材及び光ディスク上に光スポットを構成する対物レンズなどが搭載されている。
【００３４】
図１に、本発明の実施の形態に係る光ピックアップモジュール４の内部の構成を示す図を示す。キャリッジ７は案内シャフト１１に移動自在に保持されている。フィードモータ１２の回転がスクリューシャフト１４に伝達されて、スクリューシャフト１４が回転する。１５はラックであり、ラック１５がスクリューシャフト１４に沿って移動することによって、キャリッジ７が光ディスクの内周側と外周側との間を移動する。１６はエンコーダであり、スクリューシャフト１４とフィードモータ１２との結合部位近傍に設けられている。その機能については後述する。また、１７はメインブラケットであり、このメインブラケット１７の側方にスクリューシャフト１４の一端が連結され、メインブラケット１７の底部はベース１８上に固定されている。
【００３５】
本発明の実施の形態においては、スクリューシャフト１４にフィードモータ１２を直結してスクリューシャフト１４を回転させており、図９に示す従来の構成におけるギア１３を用いていない。従って、フィードモータ１２の回転トルクが変換されずに、スクリューシャフト１４が回転する。
【００３６】
この実施の形態においては、ギア１３を用いていないために回転トルクを変換させてスクリューシャフト１４の回転速度を減速することはできないが、スクリューシャフト１４のピッチを従来のものより小さくして、ラック１５の移動の分解能を高めている。従来のスクリューシャフト１４のピッチが２．５ｍｍであるのに対して、本実施の形態においては、その半分の１．２５ｍｍとしている。
【００３７】
ギア１３を用いないため、フィードモータ１２をスピンドルモータ５に近い位置に配置することができ、光ディスクを装着したときに光ディスクの面振れがあっても光ディスクがフィードモータ１２に接触することがなくなる。そのため、フィードモータ１２の厚みを大きくすることができ、これによって回転トルクを大きくすることができる。また、ギア１３を用いていないことによってギア１３の回転に伴う騒音の発生を防止することができる。
【００３８】
スクリューシャフト１４が直結されたフィードモータ１２をベース１８に取付ける際に、フィードモータ１２の取付け位置付近のベース１８の平行度等の加工精度上のばらつきによって、メインブラケット１７に連結される側のスクリューシャフト１４の先端位置において、図１に示すＸ方向（横方向）、Ｚ方向（上下方向）のばらつきを生じやすい。これを改善する手段について、図２から図４を用いて説明する。
【００３９】
図２は、メインブラケット１７とスクリューシャフト１４との連結部の拡大図であり、メインブラケット１７の側方にはスクリューシャフト１４が連結され、取付けビス１９と固定具２０とによってメインブラケット１７がベース１８に固定されている。図３は、メインブラケット１７からスクリューシャフト１４を取り外した状態を示す図であり、スク
リューシャフト１４の取付け穴２１は、上下方向（Ｚ方向）の径が長い長穴となっている。取付け穴２１をこの形状とすることにより、スクリューシャフト１４を取付けた際の、スクリューシャフト１４の先端位置の上下方向（Ｚ方向）のばらつきを吸収することができる。
【００４０】
取付けビス１９の取付けビス穴２２は、スクリューシャフト１４の長手方向に対して直交する方向（Ｘ方向）の径が長い長穴となっている。また、図４に示すように、ベース１８に設けられた、固定具２０が挿通する保持穴２３も、スクリューシャフト１４の長手方向に対して直交する方向（Ｘ方向）の径が長い長穴となっている。取付けビス穴２２、保持穴２３をこの形状とすることにより、スクリューシャフト１４を取付けた際の、スクリューシャフト１４の先端位置に横方向（Ｘ方向）のばらつきがあっても、ベース１８上でのメインブラケット１７の位置を調整して固定具２０を保持穴２３に挿通し、取付けビス穴２２に取付けビス１９をビス締めすることによって、スクリューシャフト１４を取付けた際の、スクリューシャフト１４の先端位置の横方向（Ｘ方向）のばらつきを吸収することができる。
【００４１】
スクリューシャフト１４の先端位置のばらつきを抑制するために従来採られていた手段としては、図５に示すように、広い面を有する取付け部材２４をスクリューシャフト１４に取付けてベース１８に取付けるようにしたものがあるが、取付け部材２４を別途作製することが必要になるため製造工程が増え、重量が増加する。また、取付け部材２４を設置するスペースが必要となるため、薄型化、小型化を実現するためには不利となる。
【００４２】
この点において、本発明では、このような別個の部材を必要とせず、穴の形状を変えるだけで対応することができるため、薄型化、小型化のためには有利である。
【００４３】
図６はエンコーダが設けられた近傍の拡大図である。
【００４４】
エンコーダ１６は、反射型センサ３１と保持部材３２とを備え、保持部材３２には開口部３３が設けられている。開口部３３の開口幅Ｗ１は、スクリューシャフト１４の溝幅Ｗ２と同程度となるように形成されている。
【００４５】
反射型センサ３１は、スクリューシャフト１４からの反射光を開口部３３の受光面によって受光するが、反射型センサ３１側から見ると、スクリューシャフト１４は平坦面と斜面とが交互に存在しており、反射型センサ３１によって受光される反射光量は、平坦面と斜面のいずれの面が開口部３３に対向しているかによって変化する。この反射光量の変化によってスクリューシャフト１４の回転を検知する。キャリッジ７が光ディスクの最内周側に達すると、ラック１５はスクリューシャフト１４の最内周側で停止し、反射型センサ３１はこの状態を検知する。このようにして、エンコーダ１６はキャリッジ７が光ディスクの最内周側に達したことを検知することができる。
【００４６】
スクリューシャフト１４の溝のうち、エンコーダ１６を構成する保持部材３２の開口部３３と対向する溝に穴３４を設けると、反射光量の変化をより確実に検知することができる。
【産業上の利用可能性】
【００４７】
本発明は、光ディスクの情報を記録再生する光ピックアップモジュールと、この光ピックアップモジュールを搭載した光ディスク装置として利用することができ、ギアの回転に伴う騒音の発生を防止し、少ない構成部品で構成することが可能である。
【図面の簡単な説明】
【００４８】
【図１】本発明の実施の形態に係る光ピックアップモジュールの内部の構成を示す図
【図２】メインブラケットとスクリューシャフトとの連結部の拡大図
【図３】メインブラケットからスクリューシャフトを取り外した状態を示す図
【図４】ベースに設けられた、固定具が挿通する保持穴を示す図
【図５】スクリューシャフトの先端位置のばらつきを抑制するために従来採られていた手段を示す図
【図６】エンコーダを設けた実施の形態の光ピックアップモジュールの部分拡大図
【図７】光ディスク装置の全体斜視図
【図８】光ピックアップモジュールの斜視図
【図９】従来の光ピックアップモジュールの構成を示す図
【符号の説明】
【００４９】
１    光ディスク装置
２    筐体
２ａ    天部
２ｂ    底部
３    トレイ
３ａ    レール
３ｂ    レール保持部
３ｃ    開口
４    光ピックアップモジュール
５    スピンドルモータ
６    カバー
６ａ    開口
７    キャリッジ
８    ベゼル
１１    案内シャフト
１２    フィードモータ
１３    ギア
１４    スクリューシャフト
１５    ラック
１６    エンコーダ
１７    メインブラケット
１８    ベース
１９    取付けビス
２０    固定具
２１    取付け穴
２２    取付けビス穴
２３    保持穴
２４    取付け部材
３１    反射型センサ
３２    保持部材
３３    開口部
３４    穴
【図１】
2006114112.tif 000003
【図２】
2006114112.tif 000004
【図３】
2006114112.tif 000005
【図４】
2006114112.tif 000006
【図５】
2006114112.tif 000007
【図６】
2006114112.tif 000008
【図７】
2006114112.tif 000009
【図８】
2006114112.tif 000010
【図９】
2006114112.tif 000011